(57)【要約】【課題】スパウト付き袋状容器が逆さに落下しても、薄肉部の破断や、ひび割れを防止できる袋状容器用スパウトを提供する。【解決手段】この袋状容器用スパウト１０は、溶着部１１と、袋状容器５０内部に連通する筒状のスパウト部１２と、スパウト部１２の端部に破断可能な薄肉部１５を介して連結され、該端部を閉塞する栓体２０とを備える。栓体２０は、スパウト部１２の端部に薄肉部１５を介して連結された筒部２１と、筒部２１の端面を閉塞すると共に筒部２１の外方に延出されたつまみ用フランジ２２と、中央部が最も高くなるように突出し、周縁が次第に低くなる突起２３とを有している。つまみ用フランジ２２は、溶着部１１に溶着される袋状容器５０の扁平方向に長く、その扁平方向において筒部２１の外径より突出しており、突起２３は、つまみ用フランジ２２からの突出高さが１〜８ｍｍである。【選択図】図２
2014073859.tif 000002
【特許請求の範囲】
【請求項１】
袋状容器の表裏のシート材に挟まれて溶着される溶着部と、前記溶着部から立設され、前記袋状容器内部に連通する筒状のスパウト部と、前記スパウト部の端部に破断可能な薄肉部を介して連結され、該端部を閉塞する栓体とを備えた袋状容器用スパウトであって、
前記栓体は、前記スパウト部の端部に前記薄肉部を介して連結された筒部と、該筒部の端面を閉塞すると共に該筒部の外方に延出されたつまみ用フランジと、前記つまみ用フランジの前記筒部と反対の外側面から突設された、中央部が最も高くなるように突出し、周縁が次第に低くなる突起とを有しており、
前記つまみ用フランジは、前記溶着部に溶着される袋状容器の扁平方向に長く、その扁平方向において前記筒部の外径より突出しており、
前記突起は、前記つまみ用フランジからの突出高さが１〜８ｍｍであることを特徴とする袋状容器用スパウト。
【請求項２】
前記つまみ用フランジは、前記扁平方向において前記筒部の外径より３ｍｍ以上突出している請求項１に記載の袋状容器用スパウト。
【請求項３】
前記突起は、半球状、半楕円体状、円錐状、角錐状、及び、円錐又は角錐の頂部が曲面状をなす形状から選ばれた一種である請求項１又は２に記載の袋状容器用スパウト。
【請求項４】
前記筒部は、前記薄肉部を破断して前記スパウト部から分離された状態で、前記スパウト部の破断された開口部に差し込み可能な外径とされている請求項１〜３のいずれか１項に記載の袋状容器用スパウト。
【請求項５】
請求項１〜４のいずれか１項に記載の袋状容器用スパウトと、該袋状容器用スパウトの溶着部を表裏のシート材で挟持させて溶着させた袋状容器本体とを備えていることを特徴とするスパウト付き袋状容器。
【発明の詳細な説明】
【技術分野】
【０００１】
本発明は、栓体がスパウト部の端部に薄肉部を介して連結された袋状容器用スパウト及びスパウト付き袋状容器に関する。
【背景技術】
【０００２】
栓体とスパウト部とを一体成型により製造できる袋状容器用スパウトとして、栓体がスパウト部の端部に薄肉部を介して連結された袋状容器用スパウトがある。
【０００３】
例えば、特許文献１には、袋体に固着されるスパウト基体及びスパウト頂体を中間の環状をなす薄肉部を介して合成樹脂材料で一体に成形すること；スパウト頂体は外端側より順につまみ、ストッパ、横断面外形が円形の嵌込み部及び嵌込み部の半径方向に突出させた少なくとも１個の突部を備えていること；スパウト頂体は袋体の内容物を注出させる際スパウト基体より薄肉部において切り離されるものであること；スパウト基体はその外端側に切り離されたスパウト頂体の嵌込み部が嵌め合される横断面円形の注出路を備えると共に、その注出路には、軸線方向にスパウト頂体の突部が抜き差しされ得る挿入溝及び円周方向においてスパウト頂体の突部が選択的に係合される段部を備えていること；及び、スパウト頂体は袋体の内容物の使用過程においてスパウト基体に対し嵌め込まれ栓として使用されるものであることを構成条件とする袋体のスパウトが開示されている。
【０００４】
特許文献２には、注出口本体部と栓とが破断可能な薄肉部で繋って一体に形成されていて、袋状容器の開口端に固着される栓付き注出口において、栓付き注出口の栓が摘み部と注出口本体部に嵌入する栓部とからなり、該栓部は、摘み部の下面に続く円柱部の下方に形成した短径部と、該短径部と直交する水平方向に張出した長径部とを有し、該長径部の上面は摘み部の下面に形成した環状突起と所定の間隔を隔てて形成され、注出口本体部の筒部上端面に、前記栓の栓部に形成した所定の間隔に対応する厚さの係合突起を水平方向内側に張出して形成し、前記注出口本体部の上端内周面と前記栓部の先端外周面を繋いで薄肉部が形成されていて、再封時に注出口本体部の前記係合突起を、取外した栓の環状突起と長径部の上面とで挟持するように構成した袋状容器用栓付き注出口が開示されている。
【先行技術文献】
【特許文献】
【０００５】
【特許文献１】特開平１０−７１５７号公報
【特許文献２】特開２００２−２９５５１号公報
【発明の概要】
【発明が解決しようとする課題】
【０００６】
特許文献１，２等に開示されるように、これまでの、栓体をスパウト部の端部に薄肉部を介して連結した袋状容器用スパウトにおいては、栓体の上面に、つまみ用突起を設けていた。そして、つまみ用突起を掴んで栓体を押し上げて薄肉部を破断し、栓体をスパウト部から取外して、袋状容器を開閉していた。
【０００７】
しかしながら、つまみ用突起は、ある程度の高さや幅を有していないと、しっかりとつまむことができず、栓体の取外し作業性が低下する。このため、栓体の上面につまみ用突起を形成すると、袋状容器全体の製品高さが大きくなり、外観が悪くなったり、製品を陳列する際に設置スペースが嵩む等の問題が生じることがあった。
【０００８】
一方、栓体の上面につまみ用突起を設ける替わりに、スパウト部の上面に、スパウト部の外側に向かって延出するつまみ用のフランジを設ける方法がある。
【０００９】
しかしながら、このようなフランジを栓体の上面に形成した場合、栓体上面の表面積が大きくなるので、袋状容器用スパウトが取付けられたスパウト付き袋状容器が逆さに落下したとき、スパウトにかかる衝撃が大きくなる。その結果、栓体とスパウト部とを接続する薄肉部が破断したり、ひび割れしたりして、内容物が漏洩する可能性があった。
【００１０】
よって、本発明の目的は、スパウト付き袋状容器が逆さに落下しても、薄肉部が破断したり、ひび割れしたりして、内容物が漏洩することを防止することができる袋状容器用スパウト及びスパウト付き袋状容器を提供することにある。
【課題を解決するための手段】
【００１１】
上記目的を達成するため、本発明の袋状容器用スパウトは、袋状容器の表裏のシート材に挟まれて溶着される溶着部と、前記溶着部から立設され、前記袋状容器内部に連通する筒状のスパウト部と、前記スパウト部の端部に破断可能な薄肉部を介して連結され、該端部を閉塞する栓体とを備えた袋状容器用スパウトであって、
前記栓体は、前記スパウト部の端部に前記薄肉部を介して連結された筒部と、該筒部の端面を閉塞すると共に該筒部の外方に延出されたつまみ用フランジと、前記つまみ用フランジの前記筒部と反対の外側面から突設された、中央部が最も高くなるように突出し、周縁が次第に低くなる突起とを有しており、
前記つまみ用フランジは、前記溶着部に溶着される袋状容器の扁平方向に長く、その扁平方向において前記筒部の外径より突出しており、
前記突起は、前記つまみ用フランジからの突出高さが１〜８ｍｍであることを特徴とする。
【００１２】
本発明の袋状容器用スパウトによれば、つまみ用フランジの筒部と反対の外側面に、中央部が最も高くなるように突出し、周縁が次第に低くなる突起が突設されているので、袋状容器用スパウトが取付けられたスパウト付き袋状容器が逆さに落下したとき、上記突起が落下面に衝突して袋状容器用スパウトを傾けさせて落下する。このため、内容物を含有する袋状容器の落下衝撃が袋状容器用スパウトの薄肉部にかかるのを軽減することができ、薄肉部が破断したり、ひび割れしたりして、内容物が漏洩することを防止することができる。
【００１３】
本発明の袋状容器用スパウトの前記つまみ用フランジは、前記扁平方向において前記筒部の外径より３ｍｍ以上突出していることが好ましい。この態様によれば、栓体のスパウト部からの取外しの作業性を良好にできる。
【００１４】
本発明の袋状容器用スパウトの前記突起は、半球状、半楕円体状、円錐状、角錐状、及び、円錐又は角錐の頂部が曲面状をなす形状から選ばれた一種であることが好ましい。
【００１５】
本発明の袋状容器用スパウトの前記筒部は、前記薄肉部を破断して前記スパウト部から分離された状態で、前記スパウト部の破断された開口部に差し込み可能な外径とされていることが好ましい。この態様によれば、薄肉部を破断してスパウト部から栓体を分離したとき、栓体の筒部をスパウト部の破断された開口部に差し込み可能となるので、スパウト部の破断された開口部を栓体によって再び閉塞することができる。
【００１６】
また、本発明のスパウト付き袋状容器は、上記袋状容器用スパウトと、該袋状容器用スパウトの溶着部を表裏のシート材で挟持させて溶着させた袋状容器本体とを備えていることを特徴とする。
【００１７】
本発明のスパウト付き袋状容器によれば、逆さに落下しても、その衝撃によって、袋状容器用スパウトの薄肉部が破断したり、ひび割れしたりすることを防ぎ、内容物が漏洩することを防止できる。
【発明の効果】
【００１８】
本発明によれば、袋状容器用スパウトが取付けられたスパウト付き袋状容器が逆さに落下したとき、突起が落下面に衝突して袋状容器用スパウトを傾けさせて落下するので、内容物を含有する袋状容器の落下衝撃が、袋状容器用スパウトの薄肉部にかかるのを軽減することができ、薄肉部が破断したり、ひび割れしたりして、内容物が漏洩することを防止することができる。
【図面の簡単な説明】
【００１９】
【図１】本発明の袋状容器用スパウトを備えた袋状容器の概略斜視図である。
【図２】同袋状容器のスパウト部分の拡大部分断面図である。
【図３】同袋状容器の側面図である。
【図４】同袋状容器のスパウト部から栓体を取外した状態を示す斜視図である。
【図５】好ましい突起の一例を示す概略斜視図である。
【図６】製造例１で使用したスパウトの概略図であって、（ａ）は平面図であり、（ｂ）は側面図である。
【図７】製造例２で使用したスパウトの概略図であって、（ａ）は平面図であり、（ｂ）は側面図である。
【発明を実施するための形態】
【００２０】
本発明のスパウト付き袋状容器について、図１〜３を用いて説明する。
【００２１】
このスパウト付き袋状容器６０は、スパウト１０と、該スパウト１０の溶着部１１を表裏のシート材５１，５１で挟持させて溶着させた袋状容器本体５０とを備えている。
【００２２】
袋状容器本体５０を構成するシート材５１としては、制限はなく、袋状容器に用いられるものはいずれも使用可能である。例えば、ポリプロピレンフィルム、ナイロンフィルム、ポリエステルフィルム、及びこれらのフィルムに、酸化珪素若しくは酸化アルミナなどの無機酸化物の蒸着薄膜層、ガスバリア性被膜層、金属箔、エチレンビニルアルコール共重合体（ＥＶＯＨ）等を積層した積層フィルム等が挙げられる。
【００２３】
次に、スパウト１０について説明する。
【００２４】
図２，３に示されるように、このスパウト１０は、袋状容器本体５０の表裏のシート材５１に挟まれて溶着される溶着部１１と、溶着部１１から立設され、袋状容器本体５０内部に連通する筒状のスパウト部１２と、スパウト部１２の端部に破断可能な薄肉部１５を介して連結され、スパウト部１２の端部を閉塞する栓体２０とで主に構成されている。
【００２５】
スパウト部１２の下方には、溶着部１１から所定間隔Ｌをおいてフランジ部１３が設けられている。このフランジ部１３は、スパウト付き袋状容器６０を搬送する際のハンガーとして利用されるが、必ずしも必要なものではない。
【００２６】
栓体２０は、スパウト部１２の端部に環状の薄肉部１５を介して連結された筒部２１と、筒部２１の端面を閉塞すると共に筒部２１の外方に延出されたつまみ用フランジ２２と、つまみ用フランジ２２の筒部２１と反対の外側面から突設された突起２３とを有している。
【００２７】
図２に示されるように、栓体２０の筒部２１は、基部２１ａと、テーパ状に縮径した縮径部２１ｂとで構成され、縮径部２１ｂが、スパウト部１２内に挿入配置されている。基部２１ａの外周には、環状のリブ２１ｃが突設されている。
【００２８】
基部２１ａ及びリブ２１ｃは、薄肉部１５を破断して栓体２０をスパウト部１２から分離された状態で、スパウト部１２の破断された開口部に差し込み可能な外径とされていることが好ましい。この部分の最大径となるリブ２１ｃの外径（以下、筒部２１の最大径ともいう）は、スパウト部１２の内径の１００〜１１０％が好ましく、１００〜１０２％がより好ましい。筒部２１の最大径が上記範囲であれば、スパウト部１２の開口部に栓体２０を容易かつ気密性よく差し込むことができる。
【００２９】
栓体２０のつまみ用フランジ２２は、溶着部１１に溶着される袋状容器本体５０の扁平方向に長く、その扁平方向において筒部２１の外径より突出している。栓体２０のつまみ用フランジ２２の、上記方向における筒部２１の外径からの突出長さＬ１は、３ｍｍ以上が好ましく、５〜１０ｍｍがより好ましい。つまみ用フランジ２２が、上記方向において筒部２１の外径より突出していることにより、つまみ用フランジ２２を押し上げて薄肉部１５を簡単に破断でき、栓体２０をスパウト部１２から容易に取外すことができる。そして、つまみ用フランジ２２の突出長さＬ１が３ｍｍ以上であれば、つまみ用フランジ２２をより押し上げ易くなり、栓体２０をスパウト部１２から作業性よく取外しできる。
【００３０】
栓体２０の突起２３は、中央部が最も高くなるように突出し、周縁が次第に低くなる形状をなしている。このような形状の突起としては、図５（ａ）〜（ｄ）に示す形状の突起が好ましい一例として挙げられる。図５（ａ）の突起２３１は、半球状をなしている。図５（ｂ）の突起２３２は、平面方向から見た突起の長軸が、溶着部１１に溶着される袋状容器の扁平方向に沿って伸びた半楕円体状をなしている。図５（ｃ）の突起２３３は、円錐状をなしている。図５（ｄ）の突起２３４は、円錐の頂部２３４ａが曲面状をなしている。なお、この他に、三角錐、四角錐などの角錐体状をなす突起や、角錐体の頂部が曲面状をなす突起などを採用することもできる。
【００３１】
突起２３の、つまみ用フランジ２２からの突出高さＨは、１〜８ｍｍが好ましく、３〜５ｍｍがより好ましい。突出高さＨが１ｍｍ未満であると、スパウト付き袋状容器６０が逆さに落下したときにスパウト１０を横に倒す効果が乏しくなり、衝撃吸収効果が低減する。突出高さＨが８ｍｍを超えると、袋状容器全体の製品高さが大きくなり、外観が悪くなったり、製品を陳列する際に設置スペースが嵩む等の問題が生じる。
【００３２】
平面方向から見た突起２３の基部における最大外径Ｌ２は、１ｍｍ以上であることが好ましく、２〜１６ｍｍであることがより好ましい。上記外径Ｌ２が１ｍｍ未満あると、突起が先鋭となりやすく、指等に引っ掛かりやすくなる。
【００３３】
スパウト１０の各部材の材質は、特に限定は無く、従来の袋状容器用スパウトに用いられている材料を用いることができる。例えば、低密度ポリエチレン（ＬＤＰＥ）、直鎖低密度ポリエチレン（ＬＬＤＰＥ）、高密度ポリエチレン（ＨＤＰＥ）、ポリプロピレン（ＰＰ）等が挙げられる。
【００３４】
このスパウト付き袋状容器は、栓体２０のつまみ用フランジ２２の筒部２１と反対の外側面に、中央部が最も高くなるように突出し、周縁が次第に低くなる形状の突起２３が形成されているので、スパウト付き袋状容器６０が逆さに落下したとき、突起２３が落下面に衝突してスパウト１０を傾けさせて落下するので、落下衝撃がスパウト１０の薄肉部１５にかかるのを軽減することができ、薄肉部１５が破断したり、ひび割れしたりして、内容物が漏洩することを防止することができる。
【００３５】
また、スパウト１０の栓体２０は、つまみ用フランジ２２を有するので、つまみ用フランジ２２と筒部２１との間に指をひっかけるなどしてつまみ用フランジ２２を押し上げて、薄肉部１５を簡単に破断でき、栓体２０をスパウト部１２から容易に取外すことができる。
【００３６】
また、スパウト部から取り外した栓体２０は、図４の仮想線に示すように、栓体２０の筒部２１を、スパウト部１２の開口に嵌挿することで、スパウト部１２を簡単にリキャップできる。
【実施例】
【００３７】
図６，７に示すスパウトの溶着部１１を、シート材（酸化アルミナ蒸着ポリエステル（透明蒸着−ＰＥＴ）１２μｍ／二軸延伸ナイロン（ＯＮＹ）１５μｍ／直鎖状低密度ポリエチレン（ＬＬＤＰＥ）１００μｍ）で挟持させて溶着し、内容物としてゼリーを約７０ｇ充填し、製造例１〜８のスパウト付き袋状容器（総重量約７５ｇ）を製造した。各製造例で使用したスパウト及び寸法を表１にまとめて記す。
【００３８】
なお、図６のスパウト１０ａは、栓体２０のつまみ用フランジ２２上に、半球状（直径３ｍｍ）の突起２３１が形成されている。
【００３９】
また、図７のスパウト１０ｂは、栓体２０のつまみ用フランジ２２の上面が平坦となっており、突起が形成されていない。
【００４０】
【表１】
2014073859.tif 000003
【００４１】
製造例１、２のスパウト付き袋状容器（ｎ＝３）について落下試験を行い、１個でも内容物の漏れがあるものを×とし、全ての試験品で漏れが無いものを○とした。結果を表２にまとめて記す。なお、落下試験は、スパウト付き袋状容器を、１５０ｃｍの高さで、スパウト側からガイドによりまっすぐに落下させる操作を３回行った。
【００４２】
【表２】
2014073859.tif 000004
【００４３】
表２の結果から明らかなように、栓体のつまみ用フランジ上に、中央部が最も高くなるように突出し、周縁が次第に低くなる突起を形成したことにより、スパウト付き袋状容器が逆さに落下したときに、落下衝撃がスパウトの薄肉部にかかるのを軽減することができ、内容物が漏洩することを防止することができた。
【符号の説明】
【００４４】
１０：スパウト
１１：溶着部
１２：スパウト部
１３：フランジ部
１５：薄肉部
２０：栓体
２１：筒部
２１ａ：基部
２１ｂ：縮径部
２１ｃ：リブ
２２：つまみ用フランジ
２３、２３１，２３２，２３３，２３４：突起
５０：袋状容器本体
５１：シート材
６０：袋状容器
【図１】
2014073859.tif 000005
【図２】
2014073859.tif 000006
【図３】
2014073859.tif 000007
【図４】
2014073859.tif 000008
【図５】
2014073859.tif 000009
【図６】
2014073859.tif 000010
【図７】
2014073859.tif 000011